(57)【要約】【課題】  本発明は、陳列棚等の棚板類が本体内に収納された状態を維持するスライドレールのロック装置に関するものであり、簡単な構造で、部品点数も少なく安価に製作でき、作業性、メンテナンス性にも優れたスライドレールのロック装置を提供することを課題とする。【解決手段】係止部材とロック部材を有するスライドレールのロック装置において、係止部材は、固定側上下嵌合突部と、固定部と、固定部の内面に連設される係止突起が、合成樹脂材より一体に形成され、係止突起は、前端側に形成された案内傾斜部と、後端に形成された当接係止部を有し、ロック部材は、移動側上下嵌合突部と、固定基板部と、前記係止突起に係止する係止突片を有するロック部と、係止突片と係止突起の係止状態を解除する操作用腕部を有し、係止突片は、案内傾斜部に対応して被案内傾斜部と、当接係止部に対応して当接ロック部を有しているものである。【選択図】図１
2015229035.tif 000002
【特許請求の範囲】
【請求項１】
ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置において、ロック装置は、係止部材に設けられる係止突起と、ロック部材に設けられる係止突片が係止することによりロック状態が維持されるものであり、係止部材は、固定側レールと嵌合する固定側上下嵌合突部と、固定側上下嵌合突部間に連設し、スライドレールの摺動方向に不動に取り付けられる固定部と、該固定部の内面に連設する係止突起とを備え、合成樹脂材により一体に形成され、ロック部材は、合成樹脂材のベース部材と、合成樹脂材の操作部材と、合成樹脂材の弾性部材で構成され、ベース部材は、少なくとも、移動側レールと嵌合する移動側上下嵌合突部と、移動側上下嵌合突部間に連設し、操作部材を回動可能に保持する保持部を有した固定基板部とを備え、操作部材は、少なくとも、前記ベース部材の保持部に上下回動自在に軸支される回動基部と、該回動基部の前方に連設されるとともに係止突片を有したロック部と、ロック部の前方に連設され、移動側レールの前方に突出し、操作部材を上下いずれかの方向に回動させて、係止突起と係止突片の係止状態を解除する操作腕部とを備え、操作部の非操作時に、操作部を係止突起と係止突片が係止する位置に保つ弾性部材は、ベース部材、又は、操作部材と一体に形成されていることを特徴とするスライドレールのロック装置。
【請求項２】
係止突起は、前端側に形成された案内傾斜部と、後端に形成された当接係止部を有し、係止突片は、案内傾斜部に対応して被案内傾斜部と、当接係止部に対応して当接ロック部を有していることを特徴とする請求項１に記載のスライドレールのロック装置。
【請求項３】
ベース部材に、操作部材の固定側レール側に面する面に当接し、操作部材の左右方向の揺動を抑える振れ止め部を一体に形成したことを特徴とする請求項１、あるいは、請求項２
に記載のスライドレールのロック装置。
【発明の詳細な説明】
【技術分野】
【０００１】
本発明は、陳列棚等の棚板類が本体内に収納された状態を維持するスライドレールのロック装置に関するものである。
【背景技術】
【０００２】
従来、前記スライドレールのロック装置として数々のものが提供されている。
その代表的なものとして先行技術文献１（特許文献１）に示すように、ラック等の本体に固定される固定側レールと、固定側レールに対し摺動自在に配設された移動側レールと、移動側レールの前端部内面に設けられたロック片とよりなるスライドレールにおいて、前記固定側レールの基板前端部に移動側レールの方向に突出する係止突片が形成され、前記ロック片は、移動側レールの前方に突出する操作突部と、係止突片側に突出し前端が係止突片に係止する位置で、後端が係止突片から外れた位置に傾斜する案内傾斜部と、案内傾斜片の係止状態を維持する係止状態維持部を有し、移動側レールと平行に回動自在で、常に案内傾斜部が係止突片に係止する方向に回動力が付与されているものである。
そして、前記回動力は、巻きバネを使用することによって得ていた。
【０００３】
すなわち、ロック装置は、ロック片（右用、左用が必要）、巻きバネ、リベット等、部品点数が多くなり在庫管理、コスト等の問題があった。さらに、スライドレールにロック装置を組み付ける際、巻きバネを弾性変形させた状態で組み付けなければならず、この作業が非常に煩雑で、生産性がよくなかった。
【先行技術文献】
【特許文献】
【０００４】
【特許文献１】特許第３５９４４９４号公報
【発明の概要】
【発明が解決しようとする課題】
【０００５】
本発明は、簡単な構造でコンパクトに構成でき、部品点数も少なく安価に製作でき、作業性、メンテナンス性にも優れるスライドレールのロック装置を提供することを課題とする。
【課題を解決するための手段】
【０００６】
そこで、上記課題を解決する為、本発明が第１の手段として構成したところは、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置において、ロック装置は、係止部材に設けられる係止突起と、ロック部材に設けられる係止突片が係止することによりロック状態が維持されるものであり、係止部材は、固定側レールと嵌合する固定側上下嵌合突部と、固定側上下嵌合突部間に連設し、スライドレールの摺動方向に不動に取り付けられる固定部と、該固定部の内面に連設する係止突起とを備え、合成樹脂材により一体に形成され、ロック部材は、合成樹脂材のベース部材と、合成樹脂材の操作部材と、合成樹脂材の弾性部材とで構成され、ベース部材は、少なくとも、移動側レールと嵌合する移動側上下嵌合突部と、移動側上下嵌合突部間に連設し、操作部材を回動可能に保持する保持部を有した固定基板部を備え、操作部材は、少なくとも、前記ベース部材の保持部に上下回動自在に軸支される回動基部と、該回動基部の前方に連設されるとともに係止突片を有したロック部と、ロック部の前方に連設され、移動側レールの前方に突出し、操作部材を上下いずれかの方向に回動させて、係止突起と係止突片の係止状態を解除する操作腕部とを備え、操作部の非操作時に、操作部を係止突起と係止突片が係止する位置に保つ弾性部材は、ベース部材、又は、操作部材と一体に形成されているものである。
【０００７】
上記課題を解決する為、本発明が第２の手段として構成したところは、前記第１の手段に加え、係止突起は、前端側に形成された案内傾斜部と、後端に形成された当接係止部を有し、係止突片は、案内傾斜部に対応して被案内傾斜部と、当接係止部に対応して当接ロック部を有しているものである。
【０００８】
上記課題を解決する為、本発明が第３の手段として構成したところは、前記第１の手段、あるいは、前記第２の手段に加え、ベース部材に、操作部材の固定側レール側に面する面に当接し、操作部材の左右方向の揺動を抑える振れ止め部を一体に形成したものである。
【発明の効果】
【０００９】
本発明の第１の手段として構成したところによると、係止部材とロック部材は合成樹脂材より形成され、係止部材は、固定側レールに嵌合される固定側上下嵌合突部と固定部を有し、ロック部材のベース部材は、移動側レールに嵌合される移動側上下嵌合突部と固定基板部を有しているので、移動側レール、あるいは、固定側レールに工具を使用せずに取り付けることができる。
操作部材は、ベース部材の保持部に上下回動自在に軸支され、ロック部をベース部材の固定基板部の前方に連設しているので、操作用腕部に上下いずれかの方向に回動力を付与すれば、係止突片と係止突起の係止状態を解除することができるため、係止部材と、ロック部材は左右兼用とすることができ、部材点数を削減し、安価に製作することができる。  
又、弾性部材は、ベース部材、又は、操作部材と一体に形成されるので、ベース部材と操作部材を組み合わせるだけで、ロック部材の組み立てできるため、ロック部材の組み立てが容易となるばかりか、移動側レールにロック部材を装着させるだけで、操作部材の回動操作後に操作部材への回動力を解除すれば弾性部材によって操作部材をもとの形状に復帰することができる機能を、特段の調整を必要とせずとも作動させることができる。
【００１０】
本発明の第２の手段として構成したところによると、係止突片と係止突起の係止状態を解除して、移動側レールを前方に移動させると、係止突片は係止突起に係止する位置に復帰しているが、再び、移動側レールを収納していくと、係止用突起の案内傾斜部に対応して被案内傾斜部が形成されているので、係止突起は移動側レールの収納に影響しない位置に変位し、係止突起を通過すると、当接ロック部は、係止突起の当接係止部に当接する位置に復帰し、移動側レールをロック状態とすることができる。
【００１１】
本発明の第３の手段として構成したところによると、操作部材の左右方向の振れのうち、移動側レール方向への振れは、操作部材の移動側レール側の面が移動側レールに当接することによって抑えられ、固定側レール方向の振れは、操作部材の固定側レール側の面がベース部材の振れ止め部に当接することによって抑えることができ、移動側レールと協働で操作部材の左右方向の揺動を抑えるため、簡単な構造で操作部材の振れを止めることができる。
【図面の簡単な説明】
【００１２】
【図１】本発明のスライドレールの伸長途中状態の斜視図である。
【図２】スライドレールの基本断面図である。
【図３】移動側レールとロック部材の要部斜視図である。
【図４】操作部材の裏面側の斜視図である。
【図５】ベース部材の裏面側の斜視図である。
【図６】係止部材の斜視図である。
【図７】固定側レールと係止部材の要部斜視図である。
【図８】スライドレールのロック状態の説明図である。
【図９】係止突片が係止突起の上方向に移動し、ロック状態が解除された状態          を示す説明図である。
【図１０】係止突片が係止突起の下方向に移動し、ロック状態が解除された状態          を示す説明図である。
【図１１】係止突片が係止突起に接触しながら、移動側レールが摺動している状          態を示す説明図である。
【図１２】係止突片の被案内傾斜面と係止突起の案内傾斜面が接触している状態          を示す説明図である。
【図１３】移動側レールが引き出されて、ロック部材が係止部材の前方に位置した状          態を示す説明図である。
【図１４】ロック部材の他の実施例を示す説明図である。
【図１５】図１４の実施例の係止突片が係止突起に接触しながら、移動側レールが          摺動している状態を示す説明図である。
【図１６】振れ止め部の他の実施例を示す説明図である。
【発明を実施するための最良の形態】
【００１３】
本発明は、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなり、係止部材に設けられる係止突起と、ロック部材に設けられる係止突片が係止することによりロック状態が維持されるスライドレールのロック装置において、係止部材を、固定側レールと嵌合する固定側上下嵌合突部と、固定側上下嵌合突部間に連設しスライドレールの摺動方向に不動に取り付けられる固定部と、該固定部の内面に連設し前端側に形成された案内傾斜部と後端に形成された当接係止部を有した係止突起とで、合成樹脂材により一体に形成し、ロック部材を、合成樹脂材のベース部材と、合成樹脂材の操作部材と、合成樹脂材の弾性部材とで構成し、ベース部材を、移動側レールと嵌合する移動側上下嵌合突部と、移動側上下嵌合突部間に連設し操作部材を回動可能に保持する保持部を有した固定基板部と、操作部材の固定側レール側に面する面に当接し、操作部材の左右方向の揺動を抑える振れ止め部と、操作部の非操作時に、係止突起と係止突片が係止する位置に保つ弾性部材とで合成樹脂材により一体に形成し、操作部材を、前記ベース部材の保持部に上下回動自在に軸支される回動基部と、該回動基部の前方に連設されるとともに、前記係止突起の案内傾斜部に対応した被案内傾斜部と、当接係止部に対応した当接ロック部を有する係止突片を有したロック部と、ロック部の前方に連設され、移動側レールの前方に突出し、操作部材を上下いずれかの方向に回動させて、係止突起と係止突片の係止状態を解除する操作腕部とを合成樹脂材により一体に形成したものである。
【実施例】
【００１４】
スライドレールの基本的構成を図１、図２に基づいて説明する。
スライドレール１００は、陳列棚等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２より構成され、移動側レール２が固定側レール１に収納された状態を保持する係止部材７が固定側レール１の前端部内面に、係止部材７に係脱自在のロック部材６が、移動側レール２の前端部内面に設けられている。（図１参照）
【００１５】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形をなし、摺動方向前部に、基板１２の一部が移動側レール２方向に突出し、固定側ボール保持板３、中間レール４、移動側ボール保持板５等を介して、移動側レール２を最大引き出した状態で停止させ、スライドレール１００を最大伸長となすレール伸長時ストッパー１３と、摺動方向後端部に、基板１２を移動側レール２方向に突出し、中間レール４等を介して、移動側レール２が最も収納された状態で停止させ、スライドレール１００を最短縮小状態となすレール短縮時ストッパー１３０が形成されている。
【００１６】
移動側レール２は、固定側レール１とほぼ同等の長さで、金属製の細長条板の短手両端部を内向き円弧状に折り曲げて形成された内面長手方向（摺動方向）にボール案内溝を有する上下折曲縁２１、２１と、基板２２より固定側レール１に対向する断面略Ｃ字形に形成されている。
そして、基板２２の前部には、前記固定側レール１方向に突出し、移動側レール２の収納時に中間レール４の前端に当接する移動側レール収納時ストッパー２２１が形成され、基板２２の後端部には、スライドレール１００の最大伸長状態で移動側ボール保持板５の後端に当接する移動側レール後端ストッパー２２０が形成されている。
【００１７】
中間レール４は、帯状金属板にて上記固定側レール１と移動側レール２間に挿入可能な大きさに形成されている。
すなわち、金属製の細長条板の短手両端部を外向き円弧状に折り曲げて、外面長手方向（摺動方向）にボール案内溝を有する上下折曲縁４２、４２と基板４１からなる断面略Ｃ字形に形成された固定側中間レールと、固定側中間レールと左右対称形で、金属製の細長条板の短手両端部を外向き円弧状に折り曲げて、外面長手方向（摺動方向）にボール案内溝を有する上下折曲縁４３、４３と基板４０からなる断面略Ｃ字形に形成された移動側中間レールよりなり、互いの基板４１，４０を摺動方向にややずらして固着された、断面略Ｉ字形で、固定側レール１及び移動側レール２より短長に形成されている。
【００１８】
そして、中間レール４の基板４１の後端部に固定側レール１側に突出し、移動側レール２の引き出し時、固定側ボール保持板３の後端部に当接すると共に、移動側レール２の収納時、固定側レール１のレール短縮時ストッパー１３０の内面に当接する中間レール後端ストッパー４５が形成され、基板４０の前端部に移動側レール２側に突出し、移動側レール２の引き出し時、移動側ボール保持板５の前端部が内面に当接すると共に、移動側レール２の収納時、前記移動側レール収納時ストッパー２２１の内面が当接する中間レール前端ストッパー４４が形成されている。
【００１９】
固定側ボール保持板３は帯条金属板にて中間レール４より所定寸法短くした、固定側レール１と中間レール４間に挿入可能な大きさの基板３１と、固定側レール１と中間レール４の各上下折曲縁１１、１１、４２、４２間に位置する上下突出縁３２、３２より断面略コ字形に形成され、上下突出縁３２、３２の長手方向（摺動方向）数個所でボール３０・・・を回転自在に保持している。
【００２０】
移動側ボール保持板５は帯条金属板にて中間レール４より所定寸法短くした、移動側レール２と中間レール４間に挿入可能な大きさの基板５１と、移動側レール２と中間レール４の各上下折曲縁２１、２１、４３、４３間に位置する上下突出縁５２、５２より断面略コ字形に形成され、突出縁５２、５２の長手方向（摺動方向）数個所でボール５０・・・を回転自在に保持している。
【００２１】
スライドレール１００は上記の如く構成され、移動側レール２が固定側レール１に最も収納された状態（最短縮小状態）では、中間レール後端ストッパー４５が、固定側レール１のレール短縮時ストッパー１３０の前面に当接し、移動側レール２の移動側レール収納時ストッパー２２１が中間レール前端ストッパー４４の前面に当接し、ロック部材６が、固定側レール１の係止部材７に係止している。（ロック状態。尚、この状態でロック部材６と係止部材７の係止状態を解除するための解除用クリアランスが設けられ、移動側レール２はスライドレール１００の摺動方向に若干移動可能となっている。）
【００２２】
この状態から、ロック部材６の係止部材７に対する係止状態を解除して、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパー２２０の前面が移動側ボール保持板５の後端に当接し、移動側ボール保持板５の前端が中間レール４の中間レール前端ストッパー４４の後面に当接して、中間レール４の中間レール後端ストッパー４５の前面が固定側ボール保持板３の後端に当接し、固定側ボール保持板３の前端が、固定側レール１のレール伸長時ストッパー１３の後面に当接して、移動側レール２、中間レール４は停止し、スライドレール１００は最大伸長状態となる。
【００２３】
次に、第１実施例のロック部材６を図１、図３、図４、図５に基づいて説明する。
第１実施例のロック部材６は、合成樹脂材で一体に成型されたベース部材６０と、合成樹脂材で一体に成型された操作部材６１とで構成される。
【００２４】
ベース部材６０は、移動側レール２の上下折曲縁２１、２１の内面に嵌合する移動側上下嵌合突部６０１、６０１と、移動側上下嵌合突部６０１、６０１のスライドレール１００の摺動方向後端部間に連設される固定基板部６０２と、固定基板部６０２の前面側に連接され、前方側に突出した上下方向に対称に対向配設される弾性部材６０４、６０４と、移動側上下嵌合突部６０１、６０１のスライドレール１００の摺動方向前端部間に連設され、後述する操作部材６１に形成される案内溝６１８の底面６１８ａをスライドレール内面側（固定側レール１側の面）から抑える振れ止め部６０３より構成される。
【００２５】
そして、固定基板部６０２は、正面視（図２の方向から見た状態）において、移動側レール２の外面側（固定側レール１側の反対面）が開口となるコ字状に形成され、コ字状の上下の突出部先端付近で移動側上下嵌合突部６０１、６０１に連接し、コ字状の凹部には、外側面に向かって突出する円柱状の回転軸６０２ａが設けられている。
【００２６】
弾性部材６０４、６０４の内、上側の弾性部材６０４は、固定基板部６０２のコ字状の上下の突出部のうち、上側の前面側から前方に向かって延伸する弾性杆６０５と、弾性杆６０５の前端部から垂下する押圧杆６０６とで構成されている。下側の弾性部材６０４は、上側の弾性部材６０４と同形のものが、上下に対象に対向して配設される。そして、対向する押圧杆６０６、６０６の先端間は、後述する操作部材６１のロック部６１３の高さ寸法より若干短い寸法分あけられる。
尚、押圧杆６０６の操作部材６１側の先端はアール状とされ、操作部材６１の回動時に摩擦抵抗が少なくなるように施されている。
【００２７】
振れ止め部６０３は、正面視において、移動側レール２の外面側が開口側となるコ字状に形成され、コ字状の上下の突出部先端付近で移動側上下嵌合突部６０１、６０１に連接している。また、振れ止め部６０３の前後方向の巾は、後述する操作部材６１の案内溝６１８の溝巾より若干小さく設定され、案内溝６１８の回動軌跡に対応して、上下方向の中心部が前方に緩やかに突出した弓の字状のアール形状とされ、振れ止め部６０３の左右方向の厚みは案内溝６１８の凹部深さに対して若干小さく設定され、操作部材６１の内面側の面から突出しないようにされ、中間レール４と干渉しないようにされている。
【００２８】
操作部材６１は、移動側レール２とベース部材６０とで上下方向に回動自在に軸支される回転基部６１１と、回転基部６１１の前方に連設され、固定側レール１側の面に係止突片６１４を有するロック部６１３と、ロック部６１３の前方に連設されて、移動側レール２の前方に突出し、回転基部６１１を上下いずれかの方向に回動させる操作用腕部６１７と、操作用腕部６１７とロック部６１３の連接部付近の固定側レール１側の面に設けられる上下方向に貫通する案内溝６１８より構成されている。
そして、回転基部６１１には、表面側から裏面側（移動側レール２の基板２２側の面）にかけて貫通する回動保持用貫通孔６１２が形成されている。
【００２９】
係止突片６１４は、前端部に円弧状に形成され、係止部材７に係止する当接ロック部６１５と、係止突片６１５の上面側の後部を後方に向かって下方に傾斜させた被案内傾斜部６１６より、側面視横向き略三角形状に形成されている。
【００３０】
次に、ロック部材６の移動側レール２への装着方法を詳述する。
前記のように形成された操作部材６１の係止突片６１４が設けられている側の回転基部６１１を、ベース部材６０のコ字状凹部の回転軸６０２ａに回動保持用貫通孔６１２が軸支されるように装入する。
前述の通り、押圧杆６０６、６０６の先端間は、後述する操作部材６１のロック部６１３の高さ寸法より若干短いので、操作部材６１のロック部６１３の上面と下面で、押圧杆６０６、６０６の先端間を押し広げ、弾性杆６０５、６０５を弾性変形させながら操作部材６１はベース部材６０に装入されることになる。
したがって、ベース部材６０に操作部材６１が装着された状態で、操作部材６１には、押圧杆６０６、６０６を介して弾性杆６０５、６０５の若干の弾性力が常に伝わるので、操作部材６１は上下回動の中間部で保持されることになる。
また、同時に、ベース部材６０の振れ止め部６０３が、操作部材６１の案内溝６１８に装入され、振れ止め部６０３の外面側（移動側レール２側の面）が、案内溝６１８の底面６１８ａに当接した状態となる。
【００３１】
尚、操作部材６１の上下回動の中間部での保持力を強めると操作部材６１の初期の回動力が多く必要となり、操作部材６１の上下回動の中間部での保持力を弱めると操作部材６１の初期の回動力が少なくなるので、用途に応じて押圧杆６０６、６０６の先端間の寸法を設定すればよい。当然ながら、押圧杆６０６、６０６の先端間の寸法を短く設定すれば、ロック部材６状態で、弾性杆６０５の弾性変形量が増し、結果として弾性力が強くなるので前記の保持力は増す。
【００３２】
そして、操作部材６１が装着されたベース部材６０は、移動側レール２の引き出し方向端部の所定の位置に、移動側レール２の内面から外側に向かって押し込まれ、移動側レール２に装着される。この装着時には、ベース部材６０の移動側上下嵌合突部６０１、６０１と連接する固定基板部６０２、振れ止め部６０３が弾性変形することによって、移動側上下嵌合突部６０１、６０１が移動側レール２の上下折曲縁２１、２１に装入され、固定基板部６０２、振れ止め部６０３の弾性力によって移動側上下嵌合突部６０１、６０１が、移動側レール２の上下折曲縁２１、２１に嵌合状態で装着保持される。  
【００３３】
また、装着時には回転基部６１１の回動保持用貫通孔６１２に、移動側レール２の基板２２前端部内面に形成された枢軸用突起２２０が装入され、回転軸６０２ａと、回動保持用貫通孔６１２と、枢軸用突起２２０が協働で、ロック部材６０をスライドレール１００の摺動方向に不動とし、操作部材６１を回動自在に保持する。
【００３４】
操作部材６１の左右方向の振れのうち、移動側レール２方向への振れは、操作部材６１の移動側レール２側の面が移動側レール２の基板２２に当接することによって抑えられ、固定側レール１方向の振れは、操作部材６１に形成される案内溝６１８の底面６１８ａが、ベース部材６０の振れ止め部６０３でスライドレール内面側（固定側レール１側の面）から抑えられることで振れを止める。
【００３５】
係止部材７は、固定側レール１の上下折曲縁１１、１１の内面に形成されたボール案内溝に嵌合される固定側上下嵌合突部７１、７１と、固定側上下嵌合突部７１、７１間に連設された固定部７２より、合成樹脂材にて一体に形成されている。
【００３６】
そして、固定部７２の固定側レール１の基板１２側の面に、固定側レール１の基板１２に形成された取付用嵌合孔１２１、１２１に嵌合する嵌合突起７２１、７２１が連設され、移動側レール２側の面に前記操作部材６１の係止突片６１４に対応して、係止突起７３が連設され、係止突起７３の後方に、固定側レール１の基板１２に形成された取付用突起１２２に嵌合する嵌合孔７２２が形成されている。
【００３７】
係止突起７３は、下面前端部に、前記係止突片６１４に形成された被案内傾斜部６１６に対応して、後方に向かって下方に傾斜する案内傾斜部７３１と、係止突片６１４の当接ロック部６１５に対応して後端部に形成された当接係止部７３２より、側面視横向き略三角形状に形成されている。
【００３８】
このように構成された係止部材７は、固定側レール１の引き出し方向端部の所定の位置に、固定側レール１の内面から外側に向かって押し込まれ、固定側レール１に装着される。
この装着時には、固定側上下嵌合突部７１、７１と連接する固定部７２が弾性変形することによって固定側上下嵌合突部７１、７１が固定側レール１のボール案内溝部に装入され、固定側レール１の取付用嵌合孔１２１、１２１に係止部材７の嵌合突起７２１、７２１が装入され、固定部７２の弾性力によって係止部材７が固定側レール１に嵌合状態で装着保持される。
この時、嵌合突起７２１、７２１が、取付用嵌合孔１２１、１２１と嵌合しているので、係止部材７はレールの引き出し方向には移動しない。
【００３９】
第１実施例のロック部材６と係止部材７は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００４０】
しかしながら、ロック部材６は、移動側レール収納時ストッパー２２１の前方に設けられているので、移動側レール２と中間レール４の固定側レール１に対する収納順位にかかわらず、最終的には、ロック部材６の係止突片６１４に形成された被案内傾斜部６１６の収納方向先端側の上面が、係止部材７に形成された係止突起７３の案内傾斜部７３１の引き出し側先端部下面に接触する。（図１２に示す状態。）
さらに、移動側レール２を収納させると、係止突片６１４に形成された被案内傾斜部６１６の上面が、係止突起７３の案内傾斜部７３１に接触しながら、操作部材６１を、回転基部６１１の回動保持用貫通孔６１２を中心として、弾性部材６０４の押圧杆６０６を介して下側の弾性杆６０５を弾性変形させながら下方に回動させるので、係止突片６１４は下方に移動する。（図１1に示す状態。）
【００４１】
さらに、移動側レール２を収納させると、係止突片１４の当接ロック部６１５が、係止部材７の係止突起７３下を収納側に通過した（図１０に示す状態。）後、下側の弾性部材６０４の弾性力によって、操作部材６１は元の状態に回動し、係止突片１４も元の位置に復帰し、スライドレール１００は、最短縮小状態となる。（図８に示す状態。）
【００４２】
すなわち、中間レール後端ストッパー４５が、固定側レール１のレール短縮時ストッパー１３０の前面に当接し、移動側レール２の移動側レール収納時ストッパー２２１が中間レール前端ストッパー４４の前面に当接し、操作部材６１の当接ロック部６１５が係止部材７の当接係止部７３２に当接し係止状態となる。（ロック状態。尚、この状態でロック部材６と係止部材７の係止状態を解除するための解除用クリアランスが当接ロック部６１５と当接係止部７３２間に形成され、移動側レール２はスライドレール１００の摺動方向に若干移動可能となっている。）
【００４３】
尚、本件実施例のロック装置は、左右兼用のため上記説明側と反対側のスライドレールは、上記説明のスライドレールに対して上下反対に設置されることになるので、上記説明の操作部材６１回動方向は、上記説明の下側に対して上側となる。
【００４４】
ロック状態から、移動側レール２（棚板等）を引き出すときは、棚板の上面と操作用腕部６１７の下面を指先で摘むようにして、操作用腕部６１７を上方に移動させると、
上側の弾性部材６０４の押圧杆６０６を介して上側の弾性杆６０５が弾性変形しながら、回転基部６１１の回動保持用貫通孔６１２を中心に操作部材６１が回動する。
そして、係止突片６１４を、係止部材７の係止突起７３の上方に位置させる。（図９に示す状態。ただし、前述のとおり、係止部材７とロック部材６は左右に対向するスライドレール１００、１００に兼用して使用されるので、一方側のスライドレール１００に取り付けられた係止部材７とロック部材６は、上下逆使いとなる（図１０の状態で使用される）。
【００４５】
さらに、上記の状態を維持しながら、操作部材６１の係止突片６１４が係止部材７の係止突起７３の上方を通過するまで、移動側レール２を引き出し、操作用腕部６１７から指先を離すと、上側の弾性部材６０４の弾性力によって、操作部材６１は押し戻されながら回動し元の状態に復帰し、係止突片６１４も元の位置に復帰し、そのまま、棚板を引き出すと移動側レール２は図１３に示す引出途中から最大伸長状態となって停止する。
【００４６】
尚、ロック状態（スライドレール１００の最短縮小状態）で、ロック部材６と係止部材７の係止状態を解除するための解除用クリアランスが当接ロック部６１５と当接係止部７３２間に形成されているので、スライドレール１００が、棚の先端が下がる方向に引き出される傾斜棚に使用されているときは、係止部材７の当接係止部７３２に操作部材６１の当接ロック部６１５が当接した状態で係止することになるので、操作部材６１の操作用腕部６４を上方に移動させるとき、移動側レール２が後方に若干移動することとなり、その後、棚板の自重で棚板が引き出し方向に移動してくるが、ロック解除時には、棚板を腕（指先）で支えながら操作用腕部６１７の操作を行うので、傾斜棚であっても不測に棚板が飛び出すことがなく、操作を安全に行うことができる。
【００４７】
尚、弾性部材６０４は、実施例１のようにベース部材６０と一体とされなくとも、操作部材６１と一体に合成樹脂で成型されていてもよい（図１４、図１５に示す）。
【００４８】
振れ止め部６０３は図１６に示すように固定基板部６０２の前端を延伸させて、操作部材６１の左右振れ止めとしてもよい。
しかしながら実施例１のように、移動側上下嵌合突部６０１、６０１のスライドレール１００の摺動方向前端部間に連設させて形成したほうが、操作部材６１回動軸から振れ止め部までの距離が長くできるので振れ止め効果も高く、移動側上下嵌合突部６０１、６０１の摺動方向前端部間を連結するので、移動側上下嵌合突部６０１、６０１を移動側レール２に嵌合させる際、振れ止め部６０３の弾性力を利用することができるので移動側上下嵌合突部６０１、６０１の前端部の嵌合力を高めることでできるため、より適した形態である。
【００４９】
ロック装置を構成する部品点数を、スライドレールの他に、係止部材、ベース部材、操作部材の３点のみとすることで、部品点数も少なくなり、各部材は、合成樹脂にて一体に成型したものであるので、係止部材、ベース部材、操作部材は同じ生産工程の中で製造することができるので生産効率が良い。
また、係止部材と、ベース部材、操作部材からなるロック部材は、スライドレールに対して、合成樹脂の弾性力を利用して嵌合されるので、ネジやリベット止めのような別工程が必要なく、組立効率が良いばかりか、スライドレールが実際に使用される中でのメンテナンス時に、ロック装置も簡単に交換できる。さらにロック装置は、左右兼用であるため、メンテナンス用の部品の管理も左右で分ける必要がなく部品管理効率がよい。
【符号の説明】
【００５０】
１                固定側レール
１００            スライドレール
２                移動側レール
２２１            移動側レール収納時ストッパー
４                中間レール
６                ロック部材
６０              ベース部材
６０１、６０１    移動側上下嵌合突部
６０２            固定基板部
６０３            振れ止め部
６０４            弾性部材
６１              操作部材
６１１            回動基部
６１３            ロック部
６１４            係止突片
６１５            当接ロック部
６１６            被案内傾斜部
６１７            操作用腕部
７                係止部材
７１、７１        固定側上下嵌合突部
７２              固定部
７３              係止突起
７３１            案内傾斜部
７３２            当接係止部
【図１】
2015229035.tif 000003
【図２】
2015229035.tif 000004
【図３】
2015229035.tif 000005
【図４】
2015229035.tif 000006
【図５】
2015229035.tif 000007
【図６】
2015229035.tif 000008
【図７】
2015229035.tif 000009
【図８】
2015229035.tif 000010
【図９】
2015229035.tif 000011
【図１０】
2015229035.tif 000012
【図１１】
2015229035.tif 000013
【図１２】
2015229035.tif 000014
【図１３】
2015229035.tif 000015
【図１４】
2015229035.tif 000016
【図１５】
2015229035.tif 000017
【図１６】
2015229035.tif 000018